(57)【要約】【課題】利用形態に応じて、ユーザへの通知を適切に行うことにより、ユーザに煩わしさを与えることを防止しつつ、消費期限までに消耗品を消費しやすくした印刷装置を提供する。【解決手段】  着脱可能に構成されるインク容器２０と、インク容器２０を用いて印刷する印刷装置１０とを備える印刷システム１であって、インク容器２０は、インク容器側記憶部２１と、印刷装置１０との間で通信するインク容器側通信部２２と、を備えており、印刷装置１０は、インク容器側通信部２２と通信する本体側通信部１２３と、印刷装置１０に発生したエラーを示すエラー履歴情報を、本体側通信部１２３とインク容器側通信部２２とを介して、インク容器側記憶部２１に書き込む書込部１２４３と、を備える。【選択図】  図１
2017039260.tif 000002
【特許請求の範囲】
【請求項１】
着脱可能に構成される消耗品と、前記消耗品を用いて印刷する印刷装置とを備える印刷システムであって、
前記消耗品は、
前記消耗品に関連する情報を記憶する消耗品側記憶部と、
前記印刷装置との間で通信する消耗品側通信部と、を備えており、
前記印刷装置は、
前記消耗品側通信部と通信する本体側通信部と、
前記印刷装置に発生したエラーを示すエラー履歴情報を、前記本体側通信部と前記消耗品側通信部とを介して、前記消耗品側記憶部に書き込む書込部と、を備える
ことを特徴とする印刷システム。
【請求項２】
複数の前記消耗品を備えており、
前記書込部は、前記複数の消耗品のそれぞれに備えられる前記消耗品側記憶部に前記エラー履歴情報を書き込む
ことを特徴とする請求項１記載の印刷システム。
【請求項３】
前記印刷装置は、本体記憶部を更に備え、
前記書込部は、前記消耗品側記憶部と前記本体記憶部とに前記エラー履歴情報を書き込む
ことを特徴とする請求項１又は２に記載の印刷システム。
【請求項４】
前記印刷装置は、本体記憶部を更に備え、
前記書込部は、前記本体記憶部に前記エラー履歴情報を書き込めない場合にのみ、前記消耗品側記憶部に前記エラー履歴情報を書き込む
ことを特徴とする請求項１又は２に記載の印刷システム。
【請求項５】
前記書込部は、前記印刷装置を識別する装置識別情報と前記エラー履歴情報とを関連づけて、前記本体側通信部と前記消耗品側通信部とを介して、前記消耗品側記憶部に書き込む
ことを特徴とする請求項１乃至４のいずれか一項に記載の印刷システム。
【請求項６】
印刷装置による印刷に用いられ、前記印刷装置から着脱可能に構成される消耗品であって、
前記消耗品に関連する情報を記憶する消耗品側記憶部と、
前記消耗品側記憶部と前記印刷装置との間で通信する消耗品側通信部と、を備えており、
前記消耗品側記憶部には、前記印刷装置に発生したエラーを示すエラー履歴情報が、前記消耗品側通信部を介して、書き込まれる
ことを特徴とする消耗品。
【発明の詳細な説明】
【技術分野】
【０００１】
本発明は、着脱可能に構成される消耗品と、消耗品を用いて印刷する印刷装置とを備える印刷システム及び消耗品に関する。
【背景技術】
【０００２】
従来、故障の発生した印刷装置をより早く復旧させるため、故障診断を速やかに行う様々な技術が提案されている。例えば、故障直前に発生したエラーを示すエラー履歴情報を、印刷装置に備えられる本体記憶部に記憶させておき、故障の復旧時に、本体記憶部に記憶されるエラー履歴情報を読み出すことで、故障診断を行うことが可能な印刷システムが知られている（例えば、特許文献１参照）。
【０００３】
このような印刷システムによれば、本体記憶部に記憶されるエラー履歴情報に基づいて、故障診断を速やかに行うことができる。
【先行技術文献】
【特許文献】
【０００４】
【特許文献１】特開平１１−２４９９２５号公報
【発明の概要】
【発明が解決しようとする課題】
【０００５】
しかしながら、従来技術では、印刷装置を統括制御するコントロール基板や本体記憶部に故障が発生した場合のように、本体記憶部にアクセスすることができないほどの深刻な故障が発生した場合には、本体記憶部からエラー履歴情報を読み出すことができない。よって、上述のような深刻な故障が印刷装置に発生した場合には、故障診断も実施できないという問題があった。
【０００６】
本発明は、このような状況に鑑みてなされたもので、深刻な故障が印刷装置に発生した場合であっても、エラー履歴情報を取得することにより、故障診断を実施することが可能な印刷システム及び消耗品を提供することを目的とする。
【課題を解決するための手段】
【０００７】
上記目的を達成するため、本発明に係る印刷システムの第１の特徴は、着脱可能に構成される消耗品と、前記消耗品を用いて印刷する印刷装置とを備える印刷システムであって、前記消耗品は、前記消耗品に関連する情報を記憶する消耗品側記憶部と、前記印刷装置との間で通信する消耗品側通信部と、を備えており、前記印刷装置は、前記消耗品側通信部と通信する本体側通信部と、前記印刷装置に発生したエラーを示すエラー履歴情報を、前記本体側通信部と前記消耗品側通信部とを介して、前記消耗品側記憶部に書き込む書込部と、を備えることにある。
【０００８】
本発明に係る印刷システムの第２の特徴は、上記特徴に係り、複数の前記消耗品を備えており、前記書込部は、前記複数の消耗品のそれぞれに備えられる前記消耗品側記憶部を前記エラー履歴情報の書き込み先として、前記エラー履歴情報を書き込むことにある。
【０００９】
本発明に係る印刷システムの第３の特徴は、上記特徴に係り、前記印刷装置は、本体記憶部を更に備え、前記書込部は、前記消耗品側記憶部と前記本体記憶部とに前記エラー履歴情報を書き込むことにある。
【００１０】
本発明に係る印刷システムの第４の特徴は、上記特徴に係り、前記印刷装置は、本体記憶部を更に備え、前記書込部は、前記本体記憶部に前記エラー履歴情報を書き込めない場合に、前記消耗品側記憶部に前記エラー履歴情報を書き込むことにある。
【００１１】
本発明に係る印刷システムの第５の特徴は、上記特徴に係り、前記書込部は、前記印刷装置を識別する装置識別情報と前記エラー履歴情報とを関連づけて、前記本体側通信部と前記消耗品側通信部とを介して、前記消耗品側記憶部に書き込むことにある。
【００１２】
本発明に係る印刷システムの第６の特徴は、上記特徴に係り、前記本体側通信部と前記消耗品側通信部との間の通信は、無線通信であることにある。
【００１３】
本発明に係る消耗品の特徴は、印刷装置による印刷に用いられ、前記印刷装置から着脱可能に構成される消耗品であって、前記消耗品に関連する情報を記憶する消耗品側記憶部と、前記消耗品側記憶部と前記印刷装置との間で通信する消耗品側通信部と、を備えており、前記消耗品側記憶部には、前記印刷装置に発生したエラーを示すエラー履歴情報が、前記消耗品側通信部を介して、書き込まれることにある。
【発明の効果】
【００１４】
本発明に係る印刷システムの第１の特徴によれば、印刷装置に備えられる書込部は、本体側通信部と消耗品側通信部とを介して、消耗品に備えられる消耗品側記憶部にエラー履歴情報を書き込む。このため、本体記憶部にアクセスすることができないほどの深刻な故障が印刷装置に発生したとしても、消耗品に備えられる消耗品側記憶部には、エラー履歴情報を保持させておくことができる。これにより、深刻な故障が発生した場合であっても、例えば、消耗品側通信部を介して、エラー履歴情報を取得することにより、故障診断を実施できる。
【００１５】
本発明に係る印刷システムの第２の特徴によれば、複数の消耗品を備えており、書込部は、複数の消耗品のそれぞれに備えられる消耗品側記憶部にエラー履歴情報を書き込む。すなわち、複数の消耗品のそれぞれに備えられる消耗品側記憶部が、エラー履歴情報の書き込み先である。このため、エラー履歴情報の書き込み先となる消耗品側記憶部の記憶容量を増加させることができるので、データ量の大きいエラー履歴情報であっても、消耗品側記憶部に保持させることができる。
【００１６】
本発明に係る印刷システムの第３の特徴によれば、印刷装置は、本体記憶部を備え、書込部は、消耗品側記憶部だけでなく、本体記憶部にもエラー履歴情報を書き込む。このため、深刻な故障が発生していない場合には、本体記憶部に記憶されるエラー履歴情報を読み出し、深刻な故障が発生している場合には、消耗品側記憶部に記憶されるエラー履歴情報を読み出すことができる。これにより、故障診断時にエラー履歴情報を読み出す上での確実性が高まる。
【００１７】
本発明に係る印刷システムの第４の特徴によれば、書込部は、本体記憶部にエラー履歴情報を書き込めない場合にのみ、消耗品側記憶部にエラー履歴情報を書き込む。すなわち、本体記憶部にエラー履歴情報が書き込めないような深刻な故障が発生した場合にのみ、エラー履歴情報を消耗品側記憶部に書き込むので、必要最低限のエラー履歴情報のみを消耗品側記憶部に書き込むことができる。これにより、消耗品側記憶部の記憶容量を小さくすることが可能になるため、消耗品側記憶部の記憶容量に伴う制限を抑制でき、消耗品側記憶部の選択自由度が高まる。
【００１８】
本発明に係る印刷システムの第５の特徴によれば、書込部は、印刷装置を識別する装置識別情報とエラー履歴情報とを関連づけて、消耗品側記憶部に書き込む。これにより、例えば、消耗品を印刷装置から外して、他の印刷装置に装着した場合であっても、エラー履歴情報に関連づけて記憶される装置識別情報に基づいて、エラー履歴情報が、何れの印刷装置に発生したエラーであるかを識別できる。
【００１９】
本発明に係る消耗品の特徴によれば、消耗品側記憶部には、印刷装置に発生したエラーを示すエラー履歴情報が、消耗品側通信部を介して、書き込まれる。このため、本体記憶部にアクセスすることができないほどの深刻な故障が印刷装置に発生したとしても、消耗品に備えられる消耗品側記憶部には、エラー履歴情報を保持させておくことができる。これにより、深刻な故障が印刷装置に発生しても、例えば、消耗品側通信部を介して、エラー履歴情報を取得することにより、故障診断を実施できる。
【図面の簡単な説明】
【００２０】
【図１】本発明の第１実施形態に係る印刷システムの概略構成を示すブロック図である。
【図２】本発明の第１実施形態に係る印刷システムの動作を示すフローチャートである。
【図３】本発明の第１実施形態に係る印刷システムに記憶される情報を示す説明図である。
【図４】本発明の第１実施形態に係る印刷システムの動作を示すフローチャートである。
【図５】本発明の第１実施形態に係る印刷システムの動作を示すフローチャートである。
【図６】本発明の第１実施形態に係る印刷システムを用いた復旧処理時の診断用端末を説明するための説明図である。
【図７】本発明の第１実施形態に係る印刷システムを用いた復旧処理時の診断用端末を説明するための説明図である。
【図８】本発明の第１実施形態に係る印刷システムを用いた復旧処理時の診断用端末を説明するための説明図である。
【図９】本発明の第１実施形態に係る印刷システムを用いた復旧処理時の診断用端末を説明するための説明図である。
【発明を実施するための形態】
【００２１】
［本発明の第１実施形態］
以下、本発明の第１実施形態について、図面を参照しながら詳細に説明する。なお、各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００２２】
また、以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００２３】
（印刷装置の概略構成）
図１は、本発明の第１実施形態に係る印刷システム１の概略構成を示すブロック図である。印刷システム１は、ネットワーク等を介して、パソコンなどの端末装置４００から受信した印刷ジョブに基づいて、印刷用紙に画像を印刷する。
【００２４】
図１に示すように、本発明の第１実施形態に係る印刷システム１は、印刷装置１０と、印刷装置１０に着脱可能に構成されるインク容器２０とを備える。
【００２５】
印刷装置１０は、インク容器２０を用いて印刷する。具体的に、印刷装置１０は、搬送経路に沿って印刷用紙を搬送しながら、インク容器２０に収容されるインクを消費することにより印刷用紙に画像を印刷する。本実施形態では、インク容器２０が、消耗品である。また、本実施形態では、印刷装置１０が、インクジェット方式によって印刷用紙に画像を印刷するインクジェット印刷装置である場合を例に挙げて説明する。
【００２６】
また、図１に示すように、印刷装置１０は、コントローラ１１０と、印刷エンジン１２０と、印刷ユニット１３０とを備える。
【００２７】
コントローラ１１０は、印刷装置１０の筐体内に設けられた内蔵型コントローラである。コントローラ１１０は、外部通信部１１１と、操作パネル部１１２と、本体制御部１１３と、本体記憶部１１４と、内部インターフェース１１５と、を備える。
【００２８】
外部通信部１１１は、ネットワークを介して、端末装置４００と通信し、端末装置４００から送信される情報を受信する。具体的に、外部通信部１１１は、端末装置４００から送信される印刷ジョブを受信する。端末装置４００との通信は、無線通信であってもよいし、有線通信であってもよい。
【００２９】
操作パネル部１１２は、表示／入力パネルと、印刷処理等を開始させるためのスタートキー、印刷処理等を停止させるためのストップキー、印刷枚数等を入力するためのテンキー等の各種操作キーとを備え（いずれも不図示）、ユーザ入力に基づく入力情報を本体制御部１１３に送信する。
【００３０】
操作パネル部１１２の表示／入力パネルは、前面に配置された感圧式あるいは静電式の透明なタッチパネルと、このタッチパネルの裏面に配置され、各種表示画面を表示する液晶表示パネル（いずれも不図示）とを有している。ユーザは、液晶表示パネルの表示画面を見ながら、タッチパネルの表面を指などで直接触れることで、表示画面上に表示された各種の入力操作を行うことができる。
【００３１】
本体制御部１１３は、ＣＰＵ及びＣＰＵを動作させるためのプログラムを格納したプログラムＲＯＭ等を備えている。本体制御部１１３は、ＣＰＵを動作させることによって、印刷装置１０内の各種機能を統括制御する。また、本体制御部１１３は、外部通信部１１１を介して、端末装置４００から送信された印刷ジョブを受信すると、印刷ジョブに基づいて、画像データを生成する生成処理を行う。
【００３２】
本体記憶部１１４は、ハードディスクによって構成される。本体記憶部１１４は、印刷装置１０内の各種機能によって用いられる情報を記憶する。本体記憶部１１４は、本体制御部１１３に接続されており、本体記憶部１１４に記憶される情報は、本体制御部１１３によって記憶される。
【００３３】
内部インターフェース１１５は、印刷エンジン１２０に接続されており、印刷エンジン１２０との間で各種情報を送受信する。内部インターフェース１１５は、印刷エンジン１２０と通信するコントローラ１１０側のインターフェースとして機能する。
【００３４】
印刷エンジン１２０は、印刷ユニット１３０を制御して、印刷用紙に画像を印刷する印刷処理を実行する。具体的に、印刷エンジン１２０は、内部インターフェース１２１と、一次記憶部１２２と、本体側通信部１２３と、印刷制御部１２４とを備える。
【００３５】
内部インターフェース１２１は、コントローラ１１０に備えられる内部インターフェース１１５に接続されており、コントローラ１１０との間で各種情報を送受信する。
内部インターフェース１２１は、コントローラ１１０と通信する印刷エンジン１２０側のインターフェースとして機能する。
【００３６】
一次記憶部１２２は、一時的に各種情報を記憶するランダムアクセスメモリ（ＲＡＭ）により構成されている。一次記憶部１２２は、印刷制御部１２４による各種処理に関連した情報を記憶する。
【００３７】
本体側通信部１２３は、インク容器２０に備えられるインク容器側通信部２２と通信する。本体側通信部１２３とインク容器側通信部２２との間の通信は、無線通信である。例えば、かかる通信には、近距離無線通信を適用できる。
【００３８】
印刷制御部１２４は、ＣＰＵ及びＣＰＵを動作させるためのプログラムを格納したプログラムＲＯＭ等を備えている。印刷制御部１２４は、ＣＰＵを動作させることによって、印刷エンジン１２０及び印刷ユニット１３０を制御する。また、印刷制御部１２４は、コントローラ１１０から画像データを受信すると、画像データに基づいて、印刷処理を実行する。具体的に、印刷制御部１２４は、駆動制御部１２４１と、エラー検出部１２４２と、書込部１２４３とを備える。
【００３９】
駆動制御部１２４１は、印刷ユニット１３０を制御する。印刷ユニット１３０には、印刷用紙を搬送する搬送部１３１と、印刷用紙にインクを吐き出す印刷動作を実行する印刷ヘッド１３２とが備えられている。駆動制御部１２４１は、画像データに基づいて、搬送部１３１と印刷ヘッド１３２とを制御することにより、印刷用紙に画像を印刷する印刷処理を実行する。
【００４０】
エラー検出部１２４２は、印刷装置１０に発生したエラーを検出する。印刷装置１０に発生するエラーとしては、例えば、印刷装置１０内の機器の故障に起因するハードウエアエラーや、画像データ生成時の処理エラーに起因するソフトウエアエラーなどが挙げられる。
【００４１】
エラー検出部１２４２は、エラーを検知すると、印刷装置１０に発生したエラーを示すエラー履歴情報を生成する。エラー履歴情報は、エラーを識別するエラー識別情報（以下、エラーＩＤ）と、エラーの具体的な内容を示すエラー内容と、エラーの発生した年月日及び時刻とを含む。エラー検出部１２４２は、エラー履歴情報を一次記憶部１２２に記憶する。
【００４２】
書込部１２４３は、エラー検出部１２４２によって生成されたエラー履歴情報を、一次記憶部１２２から取得する。そして、書込部１２４３は、エラー履歴情報を、本体側通信部１２３とインク容器側通信部２２とを介して、インク容器側記憶部２１に書き込む。
【００４３】
ここで、書込部１２４３は、本体記憶部１１４にエラー履歴情報を書き込み可能である場合には、インク容器側記憶部２１と本体記憶部１１４とにエラー履歴情報を書き込む。すなわち、この場合、書込部１２４３は、インク容器側記憶部２１と本体記憶部１１４との両方にエラー履歴情報を書き込む。なお、書込部１２４３は、インク容器側記憶部２１と本体記憶部１１４との内、インク容器側記憶部２１のみにエラー履歴情報を書き込むように構成されていてもよい。
【００４４】
書込部１２４３は、印刷システム１において、複数のインク容器２０が備えられている場合、複数のインク容器２０のそれぞれに備えられるインク容器側記憶部２１にエラー履歴情報を書き込む。例えば、書込部１２４３は、複数のエラー履歴情報を取得した結果、一つのインク容器側記憶部２１に全てのエラー履歴情報が書き込み切れなかった場合、複数のインク容器側記憶部２１に複数のエラー履歴情報を分けて書き込む。
【００４５】
（インク容器の概略構成）
図１に示すように、印刷システム１は、複数のインク容器２０を備える。複数のインク容器２０のそれぞれは、インク色の異なるインクを収容する。例えば、複数のインク容器２０のそれぞれは、シアン色、マゼンタ色、イエロー色、ブラック色のインクを収容する。なお、本実施形態では、複数のインク容器２０のそれぞれを、単にインク容器２０として、適宜説明する。
【００４６】
インク容器２０は、インク容器側記憶部２１と、インク容器側通信部２２とを備える。なお、インク容器側記憶部２１とインク容器側通信部２２とは、非接触ＩＣタグによって構成される。
【００４７】
インク容器側記憶部２１は、印刷装置１０に備えられる書込部１２４３によって書き込まれたエラー履歴情報を記憶する。インク容器側記憶部２１は、エラー履歴情報の他、インク容器２０に関連する情報を記憶する。インク容器２０に関連する情報とは、例えば、インク容器２０を識別する識別情報（ＩＤ）や、インク色を識別するインク色識別情報などの情報である。
【００４８】
インク容器側通信部２２は、印刷装置１０との間で通信する。具体的に、インク容器側通信部２２は、印刷装置１０に備えられる本体側通信部１２３との間で、無線通信を行う。
【００４９】
また、インク容器側通信部２２は、無線通信機能を備える診断用端末５００との間で、無線通信を行う。なお、診断用端末５００は、印刷システム１に故障が発生した際に、メンテナンス員によって故障診断及び復旧処理に用いられる。診断用端末５００には、ノートパソコン、スマートフォン又はタブレットなどの端末装置を適用できる。
【００５０】
本実施形態において、インク容器側記憶部２１は、消耗品側記憶部を構成し、インク容器側通信部２２は、消耗品側通信部を構成する。
【００５１】
（印刷システム１の動作）
次に、本実施形態に係る印刷システム１の動作を説明する。図４は、本実施形態に係る印刷システム１の動作を示すフローチャートである。具体的に、図４に示すフローチャートには、エラー履歴情報が書き込まれる際の動作が示されている。
【００５２】
ステップＳ１１において、印刷システム１では、書込部１２４３が、エラー検出部１２４２よって生成されたエラー履歴情報を一次記憶部１２２から取得する。
【００５３】
ステップＳ１２において、書込部１２４３は、本体記憶部１１４にエラー履歴情報を書き込めるか否かを判定する。具体的に、書込部１２４３は、本体記憶部１１４に接続される本体制御部１１３と通信可能か否かを判定することによって、本体記憶部１１４にエラー履歴情報を書き込めるか否かを判定する。例えば、書込部１２４３は、本体制御部１１３に制御情報を送信した後、本体制御部１１３から応答情報を受信できたか否かを判定することによって、本体記憶部１１４にエラー履歴情報を書き込めるか否かを判定する。
【００５４】
ステップＳ１３において、書込部１２４３は、本体記憶部１１４にエラー履歴情報を書き込めると判定した場合（ステップＳ１２；Ｙｅｓ）、本体記憶部１１４にエラー履歴情報を書き込む本体書込処理を実行する。具体的に、書込部１２４３は、本体制御部１１３にエラー履歴情報を送信して、本体記憶部１１４にエラー履歴情報を書き込むように指示する。この指示を受けた本体制御部１１３は、本体記憶部１１４にエラー履歴情報を書き込む。
【００５５】
ステップＳ１４において、書込部１２４３は、インク容器２０のインク容器側記憶部２１にエラー履歴情報を書き込むインク容器書込処理を実行する。すなわち、書込部１２４３は、ステップＳ１３〜Ｓ１４により、本体記憶部１１４とインク容器側記憶部２１との両方に、同じエラー履歴情報を書き込む。
【００５６】
また、ステップＳ１５において、書込部１２４３は、本体記憶部１１４にエラー履歴情報を書き込めないと判定した場合（ステップＳ１２；Ｎｏ）も、インク容器２０のインク容器側記憶部２１にエラー履歴情報を書き込むインク容器書込処理を実行する。
【００５７】
なお、ステップＳ１４及びステップＳ１５において、書込部１２４３によって実行されるインク容器書込処理については、詳細を後述する。
【００５８】
ここで、図３には、ステップＳ１３〜Ｓ１５において、書込部１２４３によって書き込まれるエラー履歴情報の一例が示されている。図３に示すように、書込部１２４３は、エラーＩＤ（例えば“Ｓ００６−２００”）と、エラー内容（例えば“インク温度高温異常”）と、年月日（例えば“２００７／１０／１０”）と、時刻（例えば“２３：５９：２３”）とを含むエラー履歴情報を一つのレコードとして、本体記憶部１１４及びインク容器側記憶部２１に書き込む。
【００５９】
以上のようにして、印刷システム１では、エラー履歴情報が書き込まれる。なお、印刷システム１では、上述のステップＳ１１〜Ｓ１５の動作を、エラー検出部１２４２がエラーを検出して、エラー履歴情報を一次記憶部１２２に記憶する度に、実行してもよい。
【００６０】
或いは、印刷システム１は、上述のステップＳ１１〜Ｓ１５の動作を定期的に実行してもよい。例えば、印刷システム１は、所定の周期（例えば、１時間）で実行してもよいし、印刷システム１の電源遮断時に実行してもよい。この場合、書込部１２４３は、一次記憶部１２２に蓄積された複数のエラー履歴情報を取得してもよい。
【００６１】
（インク容器側記憶部へのインク容器書込処理）
次に、ステップＳ１４及びステップＳ１５において、書込部１２４３によって実行されるインク容器書込処理について詳細を説明する。図４は、書込部１２４３によって実行されるインク容器書込処理の動作を示すフローチャートである。
【００６２】
ステップＳ１０１において、書込部１２４３は、複数のインク容器２０のそれぞれに備えられるインク容器側記憶部２１を参照し、エラー履歴情報を書き込むための空きの記憶領域が十分にあるか否かを判定する。具体的に、書込部１２４３は、複数のインク容器側記憶部２１のそれぞれの空きの記憶領域の合計容量が、エラー履歴情報のデータ容量以上であるか否かを判定する。
【００６３】
ステップＳ１０２において、書込部１２４３は、空きの記憶領域の合計容量がエラー履歴情報のデータ容量未満であると判定した場合、すなわち、エラー履歴情報を書き込むための空きの記憶領域が不足していると判定した場合（ステップＳ１０１；Ｎｏ）、書き込み可能な空きの記憶領域が残っているか否かを判定する。なお、このとき、書込部１２４３は、書き込み可能な空きの記憶領域が残っていないと判定した場合（ステップＳ１０２；Ｎｏ）、ステップＳ１０４の動作を行う。
【００６４】
ステップＳ１０３において、書込部１２４３は、書き込み可能な空きの記憶領域が残っていると判定した場合（ステップＳ１０２；Ｙｅｓ）、残っているインク容器側記憶部２１に、書き込み可能な容量分だけエラー履歴情報を書き込む。
【００６５】
ステップＳ１０４において、書込部１２４３は、書き込めなかったエラー履歴情報を書き込むため、最も古いエラー履歴情報を記憶するインク容器側記憶部２１を特定する。
【００６６】
ステップＳ１０５において、書込部１２４３は、特定したインク容器側記憶部２１に記憶される最も古いエラー履歴情報に、書き込めなかったエラー履歴情報を上書きする。
【００６７】
ステップＳ１０６において、書込部１２４３は、エラー履歴情報を全て記憶したか否かを判定する。書込部１２４３は、エラー履歴情報を全て記憶したと判定した場合は、動作を終了する（ステップＳ１０６；Ｙｅｓ）。一方、書込部１２４３は、エラー履歴情報を全て記憶していないと判定した場合（ステップＳ１０６；Ｎｏ）、ステップＳ１０４〜Ｓ１０６の動作を繰り返す。
【００６８】
一方、ステップＳ１０７において、書込部１２４３は、書込部１２４３は、空きの記憶領域の合計容量がエラー履歴情報のデータ容量以上であると判定した場合、すなわち、全てのエラー履歴情報を書き込むための空きの記憶領域があると判定した場合（ステップＳ１０１；Ｙｅｓ）、一つのインク容器側記憶部２１を特定し、特定したインク容器側記憶部２１にエラー履歴情報を書き込む。
【００６９】
ステップＳ１０８において、書込部１２４３は、エラー履歴情報を全て記憶したか否かを判定する。書込部１２４３は、エラー履歴情報を全て記憶したと判定した場合は、動作を終了する（ステップＳ１０８；Ｙｅｓ）。
【００７０】
ステップＳ１０９において、書込部１２４３は、エラー履歴情報を全て記憶していないと判定した場合（ステップＳ１０８；Ｎｏ）、別のインク容器側記憶部２１を特定するとともに、ステップＳ１０７〜Ｓ１０８の動作を繰り返す。
【００７１】
なお、ステップＳ１０７〜Ｓ１０９において、書込部１２４３は、複数のインク容器側記憶部２１にエラー履歴情報を書き込む際、所定の順序に従って、エラー履歴情報を書き込んでもよい。例えば、書込部１２４３は、インク色に基づいて規定される所定の順序（例えば、シアン色、マゼンタ色、イエロー色、ブラック色の順序）に従って、エラー履歴情報を書き込んでもよい。
【００７２】
（作用及び効果）
以上のように、第１実施形態に係る印刷システム１によれば、書込部１２４３は、本体側通信部１２３とインク容器側通信部２２とを介して、インク容器２０に備えられるインク容器側記憶部２１にエラー履歴情報を書き込む。このため、印刷装置１０の本体記憶部１１４にアクセスすることができないほどの深刻な故障が印刷装置１０に発生したとしても、インク容器２０に備えられるインク容器側記憶部２１には、エラー履歴情報を保持させておくことができる。これにより、深刻な故障が発生した場合であっても、例えば、メンテナンス員が、診断用端末５００を用いて、インク容器側通信部２２を介して、エラー履歴情報を取得することにより、故障診断を実施できる。
【００７３】
また、本実施形態に係る印刷システム１は、複数のインク容器２０を備えており、書込部１２４３は、複数のインク容器２０のそれぞれに備えられるインク容器側記憶部２１にエラー履歴情報を書き込む。すなわち、複数のインク容器２０のそれぞれに備えられるインク容器側記憶部２１が、エラー履歴情報の書き込み先である。このため、エラー履歴情報の書き込み先となるインク容器側記憶部２１の記憶容量を増加させることができるので、エラー履歴情報のデータ容量が増加した場合であっても、エラー履歴情報をインク容器側記憶部２１に保持させることができる。
【００７４】
また、本実施形態に係る印刷システム１によれば、書込部１２４３は、インク容器側記憶部２１だけでなく、本体記憶部１１４にもエラー履歴情報を書き込む。このため、深刻な故障が発生していない場合には、本体記憶部１１４に記憶されるエラー履歴情報を読み出し、深刻な故障が発生している場合には、インク容器側記憶部２１に記憶されるエラー履歴情報を読み出すことができる。これにより、故障診断時にエラー履歴情報を読み出す上での確実性が高まる。また、本体記憶部１１４とインク容器側記憶部２１とのいずれからも、エラー履歴情報を読み出すことができるため、エラー履歴情報を読み出す際の利便性も高まる。
【００７５】
また、本実施形態に係る印刷システム１によれば、本体側通信部１２３とインク容器側通信部２２との間の通信は、無線通信であるため、インク容器２０に備えられるインク容器側通信部２２は、インク容器２０が印刷装置１０に装着された状態のままであっても、無線通信機能を有する診断用端末５００との間で通信することができる。これにより、インク容器側通信部２２を介して、インク容器側記憶部２１に記憶されるエラー履歴情報を診断用端末５００により取得しやすくなるため、故障診断時の作業効率を高めることができる。
【００７６】
ここで、例えば、印刷装置１０が、ユニバーサルシリアルバス（ＵＳＢ）などの外部インターフェース（不図示）によって接続される外部記憶装置（不図示）を備え、エラー履歴情報が、このような外部記憶装置に書き込まれる構成も考えられるが、この場合、外部インターフェース及び外部記憶装置などのハードウエアの追加に伴って、コストが増加するおそれがある。
【００７７】
一方で、本実施形態に係る印刷システム１では、インク容器２０が、インク容器側記憶部２１とインク容器側通信部２２とを備え、エラー履歴情報が、インク容器側記憶部２１に書き込まれる。このため、外部インターフェース及び外部記憶装置などのハードウエアを追加する場合に比べて、エラー履歴情報を保持する上でのコストの増加を抑制できる。更に、印刷装置１０が上述の外部記憶装置を備える構成の場合、装着忘れなどの外部記憶装置の未装着に起因して、エラー履歴情報が保持されないといった不具合が発生するおそれもあるが、インク容器２０は、印刷装置１０に必ず装着されるものであるため、未装着に起因して、エラー履歴情報が保持されなくなることも防止できる。さらに、ＵＳＢメモリ等の外部記憶装置の持ち込み自体が禁止しされているような情報セキュリティが厳しい環境においても、エラー履歴情報が保持されなくなることを防止できる。
【００７８】
（変形例１）
次いで、本発明の第１実施形態に係る印刷システム１の変形例１について、第１実施形態との相違点に着目して説明する。
【００７９】
ここで、上述の第１実施形態では、書込部１２４３は、本体記憶部１１４にエラー履歴情報を書き込めると判定した場合（ステップＳ１２；Ｙｅｓ）、本体記憶部１１４にエラー履歴情報を書き込む本体書込処理を実行し（ステップＳ１３）、かつ、インク容器２０のインク容器側記憶部２１にエラー履歴情報を書き込むインク容器書込処理（ステップＳ１４）を実行していた。しかし、ステップＳ１４のインク容器書込処理は、必ずしも必要ない。
【００８０】
本変形例では、書込部１２４３は、ステップＳ１４のインク容器書込処理を実行せずに、ステップＳ１５のインク容器書込処理のみを実行する。すなわち、書込部１２４３は、本体記憶部１１４にエラー履歴情報を書き込めない場合（ステップＳ１２；Ｎｏ）にのみ、インク容器側記憶部２１にエラー履歴情報を書き込む（ステップＳ１５）。
【００８１】
よって、書込部１２４３は、本体記憶部１１４にエラー履歴情報を書き込めると判定した場合（ステップＳ１２；Ｙｅｓ）には、本体記憶部１１４にエラー履歴情報を書き込む（ステップＳ１３）。そして、書込部１２４３は、インク容器側記憶部２１にエラー履歴情報を書き込まずに動作を終了する。
【００８２】
以上のように、本変形例に係る印刷システム１によれば、書込部１２４３は、本体記憶部１１４にエラー履歴情報を書き込めない場合にのみ、インク容器側記憶部２１にエラー履歴情報を書き込む。すなわち、書込部１２４３は、本体記憶部１１４にエラー履歴情報が書き込めないような深刻な故障が発生した場合にのみ、エラー履歴情報をインク容器側記憶部２１に書き込むので、必要最低限のエラー履歴情報のみをインク容器側記憶部２１に書き込むことができる。これにより、インク容器側記憶部２１の記憶容量を小さくすることが可能になるため、インク容器側記憶部２１の記憶容量に伴う制限を抑制でき、インク容器側記憶部２１の選択自由度が高まる。
【００８３】
（変形例２）
次いで、本発明の第１実施形態に係る印刷システム１の変形例２について、第１実施形態との相違点に着目して説明する。
【００８４】
ここで、上述の第１実施形態では、書込部１２４３は、インク容器２０のインク容器側記憶部２１にエラー履歴情報を書き込むように構成されていたが、書込部１２４３は、印刷装置１０を識別する装置識別情報とエラー履歴情報とを関連づけて、本体側通信部１２３と消耗品側通信部２２とを介して、消耗品側記憶部２１に書き込んでもよい。
【００８５】
具体的に、ステップＳ１４及びステップＳ１５において、書込部１２４３は、装置識別情報とエラー履歴情報とを関連づけて、インク容器２０のインク容器側記憶部２１に書き込んでもよい。
【００８６】
以上のように、本変形例に係る印刷システム１によれば、書込部１２４３は、装置識別情報とエラー履歴情報とを関連づけて、消耗品側記憶部２１に書き込むため、例えば、インク容器２０を印刷装置１０から外して、他の印刷装置１０に装着した場合であっても、エラー履歴情報に関連づけて記憶される装置識別情報に基づいて、エラー履歴情報が何れの印刷装置１０に発生したエラーであるかを識別できる。
【００８７】
これにより、例えば、メンテナンス員が、診断用端末５００を用いて、故障診断する際に、エラー履歴情報に関連づけられる装置識別情報に基づいて、何れの印刷装置１０に発生したエラーであるかを正確に把握しながら、故障診断を実施できる。
【００８８】
［復旧処理］
次に、図５〜９を参照して、本発明に係る印刷システム１を用いた復旧処理について説明する。図５には、復旧処理の動作を示すフローチャートが示されている。具体的に、図５に示すフローチャートには、メンテナンス員などのユーザによって操作される診断用端末５００を用いた復旧処理の動作が示されている。図６〜９には、復旧処理において診断用端末５００に表示される表示画面の一例が示されている。
【００８９】
また、以下において、診断用端末５００は、インク容器側通信部２２との間で無線通信を実行する無線通信機能を備えているものとして説明する。
【００９０】
ステップＳ２０１において、診断用端末５００は、ユーザからエラー履歴情報の取得指示を受けたか否かを判定する。例えば、診断用端末５００は、ユーザによって所定の操作が実行されると、図６に示すように、表示部５００Ｘにエラー履歴情報を取得するか否かを受け付けるエラー履歴受付画面を表示する。
【００９１】
そして、診断用端末５００は、図６に示すエラー履歴受付画面において、“はい”が入力された場合、ユーザからエラー履歴情報の取得指示を受けたと判定する。一方で、診断用端末５００は、“いいえ”が入力された場合、ユーザからエラー履歴情報の取得指示を受けていないと判定する。なお、診断用端末５００は、ユーザからエラー履歴情報の取得指示を受けていないと判定した場合（ステップＳ２０１；Ｎｏ）、動作を終了する。
【００９２】
ステップＳ２０２において、診断用端末５００は、ユーザからエラー履歴情報の取得指示を受けたと判定した場合（ステップＳ２０１；Ｙｅｓ）、無線通信によって、インク容器２０からエラー履歴情報を取得する。具体的に、診断用端末５００は、インク容器側通信部２２を介して、インク容器側記憶部２１に記憶されるエラー履歴情報を取得する。そして、診断用端末５００は、図７に示すように、表示部５００Ｘにエラー履歴情報を表示する。
【００９３】
ステップＳ２０３において、診断用端末５００は、ユーザから対処情報の取得指示を受けたか否かを判定する。例えば、診断用端末５００では、図８に示すように、表示部５００Ｘに対処情報を取得するか否かを受け付ける対処受付画面を表示する。
【００９４】
ここで、対処情報とは、エラー履歴情報に対応したエラーを復旧するための手順を示す情報である。例えば、対処情報は、復旧手順を示すマニュアルデータである。
【００９５】
診断用端末５００は、図８に示す対処受付画面において、“はい”が入力された場合、ユーザから対処情報の取得指示を受けたと判定する。一方で、診断用端末５００は、“いいえ”が入力された場合、ユーザから対処情報の取得指示を受けていないと判定する。なお、診断用端末５００は、ユーザから対処情報の取得指示を受けていないと判定した場合（ステップＳ２０３；Ｎｏ）、動作を終了する。
【００９６】
ステップＳ２０４において、診断用端末５００は、診断用端末５００は、ユーザから対処情報の取得指示を受けたと判定した場合（ステップＳ２０３；Ｙｅｓ）、外部ネットワーク（不図示）を介して、外部サーバ（不図示）からエラー履歴情報に対応する対処情報を取得する。そして、診断用端末５００は、図９に示すように、エラー履歴情報に対応する対処情報を、表示部５００Ｘに表示する。
【００９７】
以上のようにして、印刷システム１では、インク容器側記憶部２１に記憶されるエラー履歴情報が、インク容器側通信部２２を介して、無線通信により診断用端末５００に送信される。これにより、診断用端末５００では、インク容器２０が印刷装置１０に装着された状態のまま、エラー履歴情報を取得できる。このため、インク容器２０を印刷装置１０から取り外す手間を省くことができるので、復旧処理における作業効率を高めることができる。
【００９８】
また、診断用端末５００は、エラー履歴情報に対応する対処情報も、より簡便に取得することが可能になるため、復旧処理における作業効率を一層高めることもできる。
【００９９】
なお、上述のステップＳ２０１〜Ｓ２０４では、診断用端末５００が、外部ネットワーク（不図示）を介して、外部サーバ（不図示）から対処情報を取得するように構成されていたが、診断用端末５００が、対処情報を記憶するように構成されていてもよい。具体的に、診断用端末５００が、エラー履歴情報に対応する対処情報を記憶する対処情報記憶部（不図示）を備えており、表示部５００Ｘが、対処情報記憶部を参照して、エラー履歴情報に対応する対処情報を表示してもよい。
【０１００】
［本発明のその他の実施形態］
以上、上述の実施形態を用いて本発明について詳細に説明したが、当業者にとっては、本発明が本明細書中に説明した実施形態に限定されるものではないということは明らかである。
【０１０１】
例えば、上述した実施形態では、印刷装置１０は、インクジェット印刷装置である場合を例に挙げて説明したが、本発明は、これに限定されるものではない。例えば、印刷装置１０は、孔版印刷装置であってもよい。この場合、消耗品は、インク容器に限定されず、孔版マスターであってもよい。
【０１０２】
更に、印刷装置１０は、感光ドラムの表面に付着させたトナーを印刷用紙に転写させる電子写真方式（所謂、トナー方式）により印刷するトナー印刷装置であってもよい。この場合、消耗品は、トナーカートリッジであってもよい。
【０１０３】
また、例えば、上述の実施形態では、印刷装置１０は、複数のインク容器２０を備えていたが、これに限定されない。例えば、一つのインク容器を備える構成であってもよい。すなわち、一つのインク容器側記憶部２１を備える構成であってもよい。
【０１０４】
また、上述の実施形態では、ステップＳ１０１において、書込部１２４３が、複数のインク容器２０のそれぞれに備えられるインク容器側記憶部２１を参照し、空きの記憶領域があるか否かを判定していた。ここで、インク容器２０に備えられるインク容器側記憶部２１には、書込回数が所定の制限回数以下に制限されているものも利用されつつある。よって、インク容器側記憶部２１の書込回数が所定の制限回数以下に制限される構成である場合、書込部１２４３は、ステップＳ１０１において、複数のインク容器側記憶部２１に記憶される書込回数を参照して、書込回数が所定の制限回数未満であるものを選定した上で、選定したインク容器側記憶部２１を対象として、空きの記憶領域の合計容量を取得してもよい。これにより、インク容器側記憶部２１の書込回数が所定の制限回数以下に制限される構成であっても、書込部１２４３は、インク容器側記憶部２１の書込回数を認識しながら、より確実にエラー履歴情報を書き込むことができる。
【０１０５】
また、上述の実施形態では、印刷システム１が、印刷装置１０とインク容器２０とを備える構成である場合を例に挙げて説明したが、印刷システム１は、診断用端末５００を更に備える構成であってもよい。また、印刷システム１は、端末装置４００を更に備える構成であってもよい。
【０１０６】
このように、本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【０１０７】
１…印刷システム
１０…印刷装置
２０…インク容器
２１…インク容器側記憶部
２２…インク容器側通信部
１１０…コントローラ
１１１…外部通信部
１１２…操作パネル部
１１３…本体制御部
１１４…本体記憶部
１１５…内部インターフェース
１２０…印刷エンジン
１２１…内部インターフェース
１２２…一次記憶部
１２３…本体側通信部
１２４…印刷制御部
１２４１…駆動制御部
１２４２…エラー検出部
１２４３…書込部
１３０…印刷ユニット
１３１…搬送部
１３２…印刷ヘッド
【図１】
2017039260.tif 000003
【図２】
2017039260.tif 000004
【図３】
2017039260.tif 000005
【図４】
2017039260.tif 000006
【図５】
2017039260.tif 000007
【図６】
2017039260.tif 000008
【図７】
2017039260.tif 000009
【図８】
2017039260.tif 000010
【図９】
2017039260.tif 000011